(57)【要約】【課題】  視認性を低下させること無くスタンバイ状態であることを認識可能とする。【解決手段】  撮像手段と、前記撮像手段により得られた画像データを記録媒体に記録する記録手段と、前記撮像手段により得られた画像を表示する表示手段と、前記記録手段による画像データの記録を停止しているスタンバイモードにおいて前記表示手段に表示する画像の輝度を、前記画像データを記録する記録モードにおける輝度と異ならせる制御手段とを備える。【選択図】        図８
2005167886.tif 000002
【特許請求の範囲】
【請求項１】
撮像手段と、
前記撮像手段により得られた画像データを記録媒体に記録する記録手段と、
前記撮像手段により得られた画像を表示する表示手段と、
前記記録手段による画像データの記録を停止しているスタンバイモードにおいて前記表示手段に表示する画像の輝度を、前記画像データを記録する記録モードにおける輝度と異ならせる制御手段とを備えることを特徴とする撮像装置。
【請求項２】
前記制御手段は更に、撮影環境に従いスタンバイ時の輝度を制御する事を特徴とする請求項１記載の撮像装置。
【請求項３】
前記制御手段は、前記スタンバイモードにおいて前記表示手段に表示する画像の輝度を周期的に変化させることを特徴とする請求項２記載の撮像装置。
【請求項４】
前記スタンバイモードにおける前記表示手段の変化周期及び輝度レベルを任意に変更する変更手段を備えたことを特徴とする請求項３記載の撮像装置。
【請求項５】
撮像手段と、
前記撮像手段により得られた画像データを記録媒体に記録する記録手段と、
前記撮像手段により得られた画像を表示する表示手段と、
前記記録手段による画像データの記録を停止しているスタンバイモードにおいて前記表示手段に対しスタンバイ状態である旨を示す文字列をスクロール表示させる制御手段とを備えることを特徴とする撮像装置。
【請求項６】
前記制御手段は、前記文字列のスクロール動作及びフォント、サイズ、色を撮影環境に応じて変更することを特徴とする請求項５記載の撮像装置。
【発明の詳細な説明】
【技術分野】
【０００１】
本発明は撮像装置に関し、特にスタンバイ中の表示制御に関する。
【背景技術】
【０００２】
従来、磁気テープや光ディスクなどの記録媒体を用いたビデオカメラ装置が広く普及し利用されている。このようなビデオカメラ装置においては、一般的には図２に示すように、ビデオカメラ本体２００は、入力画像表示用、あるいは、ビデオカメラの状態表示用に、ファインダ２０２あるいは液晶パネル２０４を具備している。２０６は、モード切替スイッチであり、２０８はカメラモードに於ける記録開始及び一時停止を切り替えるトグルスイッチである。このようなビデオカメラにおいては、電源ＯＮ時のカメラモードでは、モード切り替えスイッチ２０６およびトグルスイッチ２０８により、＜停止状態＞、＜スタンバイ状態＞、＜録画状態＞の３つの状態をとることが多い。この時＜停止状態＞とは、図示せずも、ビデオカメラ本体の電源がＯＦＦの状態であり、全ての操作が不可能な状態である。
【０００３】
＜スタンバイ状態＞とは、モード切り替えスイッチ２０６がカメラで、トグルスイッチ２０８の操作により一時停止状態であり、カメラからの入力画像は液晶パネル２０４又はファインダ２０２に表示かつ記録媒体が書き込み可能な状態にはなっているが、実際に記録は行われていない状態である。
【０００４】
＜録画状態＞とはモード切替スイッチ２０６がカメラであり、かつトグルスイッチ２０８を押し込む操作により実際に記録媒体にビデオデータが記録されつつある状態である。
【０００５】
現在のビデオカメラの動作状態は、＜停止状態＞を除き、入力ビデオ画像と同時に表示部に表示される。
【０００６】
ユーザが上記モード切替スイッチ２０６及びトグルスイッチ２０８操作により＜スタンバイ＞状態から＜録画状態＞への移行をさせた場合には、ファインダあるいは液晶パネルにモードが移行されたことを知らせるために記録ランプの点灯及び「録画中」の文字を表示すると共に、ビープ音を鳴らせて、確実に録画モードへ移行したことを知らしめる機能が具備されていることも多い。
【０００７】
また、特許文献１に開示されているように、上記機能に加えて、スタンバイモード時は表示画面を白黒表示にする事で、ユーザに現在のモードを認識し易い機能が具備されているものもある。
【特許文献１】特開平７−１９３７７１号公報
【発明の開示】
【発明が解決しようとする課題】
【０００８】
しかしながら、従来のような表示や音声によるスタンバイ状態の通知だけでは、特に初心者ユーザにおいてスタンバイ状態と録画状態との判断がつきにくく、録画状態に移行することを失念し、結果として録画に失敗してしまうことが多いという問題があった。
【０００９】
具体的なケースとしては、表示部に状態を表示しても、ユーザが緊張状態などにある場合には、入力ビデオ画像自体に注意を奪われて状態表示を認識しえない場合が多い。
【００１０】
また、ビープ音で＜スタンバイ状態＞から＜録画状態＞へのモード移行を知らしめる機能では、モード移行時のみにしかビープ音が再生しないので、スタンバイ状態で放置されていることが知りえない。
【００１１】
また、スタンバイモード時において白黒表示にするような場合は、例えば運動会などの混み合った中で我が子の動きに追尾しながら録画チャンスを待っている様なシチュエーションにおいて、視認性が著しく低下するため、結果として録画に失敗してしまうことが多いという問題があった。
【００１２】
本発明はこの様な問題を解決し、視認性を低下させること無くスタンバイ状態であることを認識可能とすることを目的とする。
【課題を解決するための手段】
【００１３】
本発明においては、例えば初心者モードを選択した場合には、スタンバイ状態において、周囲の明るさにより表示パネル又は、ファインダの輝度を制御（暗い場合は上げるし、明るい場合は上げる）するか、或いは、表示パネル又は、ファインダに「ＰＡＵＳＥ」等の文字列をスクロールさせる事によって、スタンバイ状態（録画されてはいない）にある事をユーザに喚起し、録画失敗を防ぐ効果を上げるものである。
【００１４】
すなわち、本発明の技術内容は以下の構成を備えることにより前記課題を解決できた。
【００１５】
（１）撮像手段と、前記撮像手段により得られた画像データを記録媒体に記録する記録手段と、前記撮像手段により得られた画像を表示する表示手段と、前記記録手段による画像データの記録を停止しているスタンバイモードにおいて前記表示手段に表示する画像の輝度を、前記画像データを記録する記録モードにおける輝度と異ならせる制御手段とを備えることを特徴とする撮像装置。
【００１６】
（２）前記制御手段は更に、撮影環境に従いスタンバイ時の輝度を制御する事を特徴とする前記（１）記載の撮像装置。
【００１７】
（３）前記制御手段は、前記スタンバイモードにおいて前記表示手段に表示する画像の輝度を周期的に変化させることを特徴とする前記（２）記載の撮像装置。
【００１８】
（４）前記スタンバイモードにおける前記表示手段の変化周期及び輝度レベルを任意に変更する変更手段を備えたことを特徴とする前記（３）記載の撮像装置。
【００１９】
（５）撮像手段と、前記撮像手段により得られた画像データを記録媒体に記録する記録手段と、前記撮像手段により得られた画像を表示する表示手段と、前記記録手段による画像データの記録を停止しているスタンバイモードにおいて前記表示手段に対しスタンバイ状態である旨を示す文字列をスクロール表示させる制御手段とを備えることを特徴とする撮像装置。
【００２０】
（６）前記制御手段は、前記文字列のスクロール動作及びフォント、サイズ、色を撮影環境に応じて変更することを特徴とする前記（５）記載の撮像装置。
【発明の効果】
【００２１】
本発明によれば、ビデオカメラにおいて、スタンバイ時に撮影環境等により輝度レベルまたはレベル変更の周期制御をする事、或いは、スタンバイモードである事を示す表示文字をスクロールさせる事によって、カラー画像を全く損なわないか、又は、ある程度のカラー画像を保持したままの状態という良好な視認性の下でユーザにスタンバイ状態であることの注意を確実に喚起できるために、録画に失敗することを防止することが可能になる。
【発明を実施するための最良の形態】
【００２２】
以下本発明を実施するための最良の形態を、実施例により詳しく説明する。
【実施例１】
【００２３】
図１は、本発明の実施例であるビデオカメラ装置（以下、ＤＶＣと記す。）の構成を表す図である。ＣＰＵ１１２内には、ＲＯＭ化された一部のプログラムが格納され、容量の問題や、今後変更される可能性がある事などを考慮された上記以外のプログラムは、プログラムフラッシュメモリ１１３に格納されている。ＤＶＣの起動時、又は通常動作時においては、上記プログラムフラッシュメモリ１１３からＣＰＵ１１２内に適宜ロードされながら動作する事で、ＣＰＵバス１１５を介して、以後説明する各種の制御動作を行う。
【００２４】
記録時において被写体は、レンズ１０１を通して撮像素子１０２に結像される。撮像素子１０２に結像された被写体は、光電変換された後に所定の周期で読み出され、カメラ信号処理１０３にて標準的な画像信号になるような信号処理が施される。上記標準画像信号は、画像メモリ１０４に一時的に蓄積されると同時に輝度制御処理１０６で輝度レベルのみの制御がなされた輝度信号（以下、Ｙと記す。）、及び色差信号（以下、Ｃｒ、Ｃｂと記す。）がディスプレイ出力用のためのＲＧＢ変換処理１０７に供給され、そこでマトリックス処理により生成されたＲ，Ｇ，Ｂ各信号がディスプレイ１０８へと送られ、現在撮影中の動画像が表示される。操作スイッチ１０５に含まれる撮影ボタンを押す事で撮影が開始される。このボタンは図２のトグルスイッチ２０８に相当する。撮影が開始されると前記画像メモリ１０４に一時的に蓄積された動画像は、動画符号化／復号化回路１０９において動画像の圧縮符号化がなされ、画像メモリ１０４をバッファとして一旦蓄積された後にインタフェース１１１を介してハードディスク又は磁気テープ、半導体メモリ等の記録媒体１１０に記録される。ＯＳＤ制御処理１１４は、メニュー表示或いは、モード情報等、主にテキスト画像を記録中の表示画像にオーバレイさせるものである。具体的には、ＣＰＵ１１２からソフト的に画像メモリ１０４に書き込んだＯＳＤデータを、ＯＳＤ制御処理１１４が読み出し図示せずも、動画データ及び読み出されたＯＳＤデータをミックスされた信号が輝度制御処理１０６に供給される。
【００２５】
次に図３を用いて輝度制御処理の詳細を説明する。
【００２６】
メモリから読み出された画像データのＹ成分は輝度制御処理３００に入力され、それ以外のＣｒ、Ｃｂ、は直接Ｒ／Ｇ／Ｂ変換処理１０７に供給される。輝度制御処理３００にはＣＰＵバス１１５が接続されており、輝度レベルを制御するための係数値を設定、或いは、輝度レベルを制御する周期を設定、或いは、周囲の明るさのレベルを設定するためのレジスタ群３０６が具備されている。ＣＰＵ１１２は、上記レジスタに対して所望の値を設定するが、その設定手段としては、ハード的なデフォルト値の他に、ユーザが図１の操作スイッチ１０５を操作する事によるメニュー設定から任意の輝度レベルを制御するための係数値（以下、αと記す。）及び、輝度レベルを制御する周期（以下Ｙ＿Ｆｒｅｑと記す。）を設定する事ができる。明るさのレベルについては、ＣＰＵ１１２が、画像メモリ１０４に蓄積されているＹを周期的に読み出し、そのレベルを判断し上記レジスタ群３０６に設定する。３０２は乗算器であり、ＣＰＵ１１２から設定されたαを輝度制御処理３００に入力されたＹ入力信号（以下、Ｙｉｎと記す。）に乗算され、αＹとして出力し、セレクタ３０４へ供給される。ここで、αの値は、１．５又は０．５の浮動小数点数である。上記αの値は、上記レジスタ群３０６にＣＰＵ１１２から設定される、現在録画しようとしている周囲の明るさの情報により決定される。
【００２７】
図４のフローチャートを用いてＣＰＵ１１２によるαの決定手段を説明する。
【００２８】
Ｓ４００はフローチャートの開始である。Ｓ４０２で変数の初期化を行う。ここでは、Ｙデータの読み出し回数（以下、ｎと記す。）及び読み出されたＹの値の加算値（以下、ｓｕｍと記す。）を０にする。Ｓ４０４ではＹデータを読み出すアドレスの初期化を行い、Ｓ４０６にてＹデータを画像メモリ１０４から読み出す。その後、Ｓ４０８にてｎをインクリメントしＳ４１０にてｓｕｍに読み出したＹの値を加算する。Ｓ４１２にてｎ＝４でなければ、Ｓ４１４にてアドレスをインクリメントし、次のＹデータの読み出しアドレスに設定し、Ｓ４０６から同様の処理を繰り返す。Ｓ４１４にてｎ＝４になった時点で、Ｙの平均値（以下、Ａｖｅと記す。）をｓｕｍ算出し、Ｓ４１８にてＡｖｅが１２８以上である場合、αの値を０．５に設定し、Ａｖｅが１２８未満であった場合は、αの値を１．５に設定してＳ４２４にてα値の設定処理を終了する。つまり、比較的周囲が明るい場所でのスタンバイモードにおいては、輝度レベルを半分にし、比較的暗い場所でのスタンバイモードにおいては、輝度レベルを１．５倍にするように動作する。これにより、乗算器３０２からは、入力されたＹｉｎに対して上記係数αが乗算されたαＹが出力される。本実施例での上記処理はフレーム単位に実行される。
【００２９】
当然のことながら、αは上記の値以外であっても、または、処理の単位が複数フレームであっても、全く問題なく同様の効果を得る事が可能である。
【００３０】
次にセレクタ３０４の動作の詳細を説明する。セレクタ３０４へは、Ｙｉｎ及びαＹが供給される。セレクタ３０４は、ＣＰＵ１１２からレジスタ設定されたＹ＿Ｆｒｅｑに応じて、ＹｉｎとαＹをセレクトしＹｏｕｔとしてＲ／Ｇ／Ｂ変換処理１０７に供給する。
【００３１】
ここで、録画中なのか、スタンバイであるかのモード信号もＣＰＵ１１２によりレジスタ設定されている。録画中であれば、セレクタ３０４は常にＹｉｎを選択しＹｏｕｔへ供給する。
【００３２】
スタンバイモードであれば、次のような動作をする。
【００３３】
例えば、上記何れかの設定手段により、Ｙ＿Ｆｒｅｑ＝０の場合は、Ｙｉｎのみが常に選択されＹｏｕｔとして出力される。Ｙ＿Ｆｒｅｑ＝１の場合は、１フレーム毎にＹｉｎとαＹとが交互にＹｏｕｔとして出力される。同様にＹ＿Ｆｒｅｑ＝２の場合は、２フレーム単位にＹｉｎとαＹとが交互にＹｏｕｔとして出力される。
【００３４】
ここで、Ｙ＿Ｆｒｅｑ設定レジスタが５ビットであると仮定すれば、Ｙ＿Ｆｒｅｑ＝３０までは、上記と同様の動作を行うが、Ｙ＿Ｆｒｅｑ＝３１に設定された場合は、αＹのみを常時Ｙｏｕｔとして出力する。
【００３５】
図５は、明るい場所にける従来のスタンバイモード時の表示の様子を示している。これに対し、図６は、α＝０．５に設定された時の表示の様子を示している。これら図５、及び図６の表示状態が上記Ｙ＿Ｆｒｅｑの設定値により所定の周期で交互に発生する。
【００３６】
この様に、本形態においては、スタンバイ状態の時にはディスプレイ１０８に表示する画像の明るさを周期的に変更することで、表示されている画像の視認性を損なうことなくユーザに対してスタンバイ状態であることを容易に知らせることができる。
【実施例２】
【００３７】
次に図７、図８を用いて、第２の実施例について説明する。
【００３８】
図７は、図１のＯＳＤ制御処理１１４の詳細なブロック図である。７００は、画像メモリ１０４内に設けられたＯＳＤデータ格納領域に対するＯＳＤデータの書き込み及び読み出し処理を示したものである。ＣＰＵ１１２はＯＳＤデータをフレーム周期に同期して例えばＯＳＤメモリ０に書き込み、１１４のＯＳＤ制御処理はＯＳＤメモリ１からＯＳＤデータを読み出しＯＳＤｏｕｔ信号となる。読み出されたＯＳＤｏｕｔは、ＯＳＤ制御処理１１４へ供給される。ここで、ＣＰＯ１１２によって書き込み及び読み出し領域が重ならないようにメモリ制御されている。Ｙ／Ｃｒ／Ｃｂビットマップテーブル７０２は、入力されたＯＳＤｏｕｔの値から図示せずもテーブルを参照し、Ｙ／Ｃｒ／Ｃｂの各値を演算処理７０４へ供給する。
【００３９】
演算処理７０４では、動画像のＹ／Ｃｒ／Ｃｂも供給されており、両方のデータを演算して輝度制御処理１０６へ供給する。例えば、本発明の実施例としては加算処理を行う。上記のような書き込み及び読み出し処理を行うことで、図８に示したような文字情報を上下にスクロールさせる。
【００４０】
ここで、Ｙ／Ｃｒ／Ｃｂビットマップテーブル７０２の構成次第で、表示文字のフォント、及びサイズ及び、カラーは、ユーザによるメニュー設定により、いかようにでも対応できる。また、前述した周囲の明るさ情報、つまりＡｖｅの値に連動してＣＰＵからＯＳＤメモリに書き込む値を制御する事もできる。例えば、Ａｖｅが１２８以上で周囲が明るいと判断した場合は、ビットマップテーブル７０２において暗い色の表示文字になるような値が書き込まれる。Ａｖｅが１２８未満で周囲が暗いと判断した場合は、ビットマップテーブル７０２において明るい色の表示文字になるような値が書き込まれる。
【００４１】
なお、文字情報のスクロール手段、及び、撮影環境による表示文字の制御は、本実施例に限らず、さまざまなバリエーションが容易に考えられ、同様の効果がある。
【００４２】
また、第１の実施例である輝度レベル制御及び、第２の実施例である表示文字のスクロール処理を容易に併用出来る事は明らかである。
【図面の簡単な説明】
【００４３】
【図１】本発明の第一の実施例を示す図面である。
【図２】従来の録画中におけるＤＶＣ本体と表示装置の様子を示した図面である。
【図３】第一の実施例の輝度制御処理動作を示すブロック図である。
【図４】第一の実施例の輝度制御処理動作を示すフローチャートである。
【図５】従来のスタンバイ時の表示状態を示す図面である。
【図６】第一の実施例のスタンバイ時の表示状態を示す図面である。
【図７】第二の実施例を示すブロック図である。
【図８】第二の実施例におけるスタンバイ時の表示状態を示す図面である。
【符号の説明】
【００４４】
１０１  レンズ
１０２  撮像素子
１０３  カメラ信号処理
１０４  画像メモリ
１０５  操作スイッチ
１０６  輝度制御処理
１０７  ＲＧＢ変換処理
１０８  ディスプレイ
１０９  動画符号化／復号化回路
１１０  記録媒体
１１１  インタフェース
１１２  ＣＰＵ
１１３  プログラムフラッシュメモリ
１１４  ＯＳＤ制御処理
１１５  ＣＰＵバス
２００  ビデオカメラ本体
２０２  ファインダ
２０４  液晶パネル
２０６  モード切替スイッチ
２０８  トグルスイッチ
３００  輝度制御処理
３０２  乗算器
３０４  セレクタ
３０６  レジスタ群
【図１】
2005167886.tif 000003
【図２】
2005167886.tif 000004
【図３】
2005167886.tif 000005
【図４】
2005167886.tif 000006
【図５】
2005167886.tif 000007
【図６】
2005167886.tif 000008
【図７】
2005167886.tif 000009
【図８】
2005167886.tif 000010